(57)【要約】靴底（１１）と、上方の領域でそれと結合する甲革アセンブリ（１２）とを備え、甲革アセンブリ（１２）が、-内部裏地（１４）が結合し、使用者の足を外側甲革（１３）から分離する少なくとも１つの間隔（１７ａ）を形成する第１要素（１６ａ）によって少なくとも部分的に構成され、使用者の足から靴（１０）の甲革の外側エッジ（２０）の方へ移動する汗のための優先通路を備える外側甲革（１３）と、-周辺が少なくとも前記内部裏地（１４）に接合される通気性の中底（１５）とを備えることを特徴とする換気性のある靴。
2017518121.tif 000002
【特許請求の範囲】
【請求項１】
靴底（１１）と、上方の領域でそれと結合する甲革アセンブリ（１２）とを備え、
甲革アセンブリ（１２）が、
-内部裏地（１４）が結合し、使用者の足を外側甲革（１３）から分離する少なくとも１つの間隔（１７ａ）を形成する第１要素（１６ａ）によって少なくとも部分的に構成され、使用者の足から靴（１０）の甲革の外側エッジ（２０）の方へ移動する汗のための優先通路を備える外側甲革（１３）と、
-周辺が少なくとも前記内部裏地（１４）に接合される通気性の中底（１５）とを備えることを特徴とする換気性のある靴。
【請求項２】
前記中底（１５）は、使用者の足を前記靴底（１１）から隔てる少なくとも１つの間隔（１７ｂ）を形成する第２要素（１６ｂ）によって少なくとも部分的に構成されることを特徴とする請求項１記載の靴。
【請求項３】
前記第１要素（１６ａ）は、第１織物によって構成されることを特徴とする請求項１記載の靴。
【請求項４】
前記第２要素（１６ｂ）は、第２織物によって構成されることを特徴とする請求項２記載の靴。
【請求項５】
前記優先通路は、蒸気状の汗の通路用の一連の溝（２４）によって形成されることを特徴とする請求項１記載の靴。
【請求項６】
前記溝（２４）は、一連の平行な隆起部（２５）によって形成されることを特徴とする請求項５記載の靴。
【請求項７】
前記靴底（１１）は実質的に防水性と通気性を有し、一連の貫通孔（２２）を備える重合体材料で作られた構造層（２１）を備え、構造層（２１）に防水性と通気性を有する機能的要素（２３）が上方の領域で結合し、前記中底（１５）が前記機能的要素（２３）の上に重ね合わされていることを特徴とする請求項１記載の靴。
【請求項８】
前記機能的要素（２３）は、液状の水に対して非透過性で水蒸気に対して透過性である重合体材料で作られた、階層化され密着したモノシリックのシート状構造を有することを特徴とする請求項７記載の靴。
【請求項９】
前記外側エッジ（２０）の領域が、穿孔されて通気性を有する材料で作られていることを特徴とする請求項１記載の靴。
【請求項１０】
前記第１織物は、
-内部にあって使用者の足の方に向けられ、かつ、通気性を有して液状および蒸気状の汗を前記靴（１０）の使用者の足から離して導くように構成された第１層（２６ａ）と、
-中間にあって間隔を有し、間隔（１７ａ）を形成し、液状および蒸気状の汗を前記第１層（２６ａ）から前記外側甲革（１３）へ運ぶための隆起部（２５）を備え、前記隆起部（２５）が蒸気状の汗を前記外側エッジ（２０）の方へ運ぶ前記溝（２４）に変化する第２層（２７ａ）と、
-外側にあって通気性を有し、前記第２層（２７ａ）を前記第１層（２６ａ）と共に、サンドイッチのような方法で囲み、それ自体を前記第１層（２６ａ）と前記外側甲革（１３）との間に介在させる第３層（２８ａ）と
を備え、
第１層（２６ａ）と第２層（２７ａ）と第３層（２８ａ）とが接合して単一体を形成することを特徴とする請求項３又は６に記載の靴。
【請求項１１】
前記第２織物は、
-液状および蒸気状の汗を前記靴（１０）の使用者の足から逃げるように導くように構成された第１上部通気性層（２６ｂ）と、
-汗を前記第１上部通気性層（２６ｂ）から前記靴底（１１）の方へ及び前記第１要素（１６ａ）の間隔（１７ａ）の方へ運ぶための前記間隔（１７ｂ）を形成する第２中間間隔層（２７ｂ）と、
-前記第２中間間隔層（２７ｂ）を前記第１上部通気性層（２６ｂ）と共に、サンドイッチのような方法で囲み、それ自体を前記第１中間間隔層（２６ｂ）と前記靴底（１１）との間に介在させる第３外部通気性層（２８ｂ）と
を備え、
第１上部通気性層（２６ｂ）と第２中間間隔層（２７ｂ）と第３外部通気性層（２８ｂ）とが接合して単一体を形成することを特徴とする請求項４記載の靴。
【請求項１２】
前記第１層（２６ａ，２６ｂ）と前記第２層（２７ａ，２７ｂ）は、実質的に疎水性であることを特徴とする請求項１〜１１のいずれか１つに記載の靴。
【請求項１３】
前記第３層（２８ａ，２８ｂ）は、実質的に疎水性であることを特徴とする請求項１〜１２のいずれか１つに記載の靴。
【請求項１４】
前記第３層（２８ａ，２８ｂ）は、実質的に親水性であることを特徴とする請求項１〜１３のいずれか１つに記載の靴。
【請求項１５】
前記第１層（２６ａ）と前記第３層（２８ａ）の少なくとも一方が毛羽立てられ、かつ、ビロードのような外観を有する表面を備えることを特徴とする請求項１０記載の靴。
【発明の詳細な説明】
【技術分野】
【０００１】
この発明は、換気性のある靴に関する。
【背景技術】
【０００２】
靴は、構造的に寸法や形が合う特性に加えて快適であるために、足の発汗により形成される水蒸気を外へ放散させる能力と一致する、靴の内側の微小気候と外側の微小気候との間の熱と水蒸気の適正な交換を、保証しなければならないということが知られている。
【０００３】
通常、発汗に多くさらされる足の部分は、足底である。汗は靴の内部環境を飽和させ、ほとんどの場合、凝縮して中底の上に沈滞するが、そればかりでない。
【０００４】
穿孔されたエラストマーで作られた靴底を用いて内部の蒸気の汗の問題を解決する靴が知られているが、そのエラストマーの上に水蒸気に透過性で水に非透過性である膜が密封され、通気性と同時に防水性を保証するためにその貫通孔を覆っている。
【発明の概要】
【発明が解決しようとする課題】
【０００５】
しかしながら、内部微小気候と外部微小気候との間の良好な熱交換を保証するために、水蒸気に対する透過性が、靴底においてのみならず、ほぼ靴全体にわたって保証されなければならない。
【０００６】
過熱の存在において、最適な状態へ戻る試みにおいて、人体は実際、自己調整メカニズムによって、従って、体温を蒸発によって自然に減少させる、発汗作用の増大による冷却メカニズムによって反応する。このメカニズムは一般に体全体に対して現れる。
【０００７】
熱は、体と衣服または靴との間に含まれる空気を暖める。靴は、足を包むように形作られることが非常に多いので、加熱された空気は、上昇する傾向があり、甲革に接触する領域において、さらなる過熱を引き起こす。
【０００８】
もし、水蒸気が甲革から逃れられないならば、それは足と、足に直接密着しない甲革の領域との間に捕らえられたままで、湿気が増加し、蒸気が凝縮して、靴の内部に汗の液体状態に戻る。
【０００９】
このタイプの靴は、通気性のある靴底を備えるけれども、甲革の表面を介しての外部への水蒸気の発汗作用が十分でないことにより、そしてまた、凝縮されて液体になった汗を除去することを考慮していないことにより、十分なレベルの快適さを保証できない。
【００１０】
従って、靴は、足の正常な発汗作用と、足底および靴底のみならず足全体の周りから汗によって作られる水蒸気の良好な換気による流出とを、保証できなければならない。
【００１１】
この機能を実行する試みにおいて、あるタイプの靴が、過去に米国特許第５７４６０１３号において提供されたことがあるが、それは、外底に接合された甲革を有し、親水性材料で作られた外層と疎水性材料で作られた内層とからなる通気性の裏地を備え、それらの層は、それらの間にエアーチャンバーを形成するように、それらの層で織り合わされる疎水性材料の単繊維の織り糸によって分離されている。
【００１２】
そのような裏地を使用することによって、内層からエアーチャンバーを介して外層へ水蒸気と熱を横方向に搬送することが助長されるが、そのような裏地は水分を吸収して外側甲革へ搬送し、そこから水分は外部環境へ蒸発する。その搬送は裏地を構成する層の違いを利用することによって行われるが、その違いはそれらの層の材料の親水性と疎水性とによって決定される。
【００１３】
この搬送は、汗の適正な放散と足全体の周りの適正な換気を十分に保証しているようには見えない。
【００１４】
他の解決策は、日本国特許出願・特願平５―８９９３９号に記載されているが、それによると、靴は、裏地と、立体的織物で作られた中底とを備える。この場合、靴が地面に接触するとき、中底の３次元的織物の空洞が足の重みで圧縮され、中底の周辺領域における開口を介しての発汗作用を引き起こす。逆に、足が地面から引き上げられると、空気が外部から吸収される。
【００１５】
しかしながら、中底に隣接する横方向の換気は、足を取り囲む蒸気を放散できず、その蒸気は上昇が阻止されて足の周りに湿気を作り出す。
【００１６】
この発明の狙いは、上記で引用した通気性のある靴に関し、蒸気状と液状の両方の汗のより良い放散を保証することができる靴を提供することである。
【００１７】
この狙いの中において、この発明の目的は、たとえ甲革の外側材料が通気性を有しなくとも、内部微小気候と外部微小気候との間の熱と水蒸気の適正な交換のための、使用者の足の周りの換気を保証できる靴を提供することである。
【００１８】
この発明の他の目的は、生理学的にさらに快適で、使用者の足に自然温度調節をさせることによって足を乾燥した状態により長く維持できる靴を提供することである。
【課題を解決するための手段】
【００１９】
この狙い、及びこれらと他の目的は、これ以後においてさらに明らかになるが、それらは、靴底と、上方の領域でそれと結合する甲革アセンブリとを備え、
甲革アセンブリが、
-使用者の足を外側甲革から分離する少なくとも１つの間隔を形成し、かつ、使用者の足から靴の甲革のへ離れる汗のための優先通路を備える第１要素によって少なくとも部分的に構成され、内部裏地が結合する外側甲革と、
-周辺が少なくとも前記内部裏地に接合される通気性の中底とを備えることを特徴とする換気性のある靴によって達成される。
【００２０】
この発明の更なる特徴と利点は、添付図面で非限定実施例により図示された、この発明による靴の好ましいが排他的でない実施形態の記述から、さらに明らかになるであろう。
【図面の簡単な説明】
【００２１】
【図１】この発明による靴の一部の横断面図である。
【図２】図１と同様の図である。
【図３】この発明による靴の上面図である。
【図４】第１要素の拡大図である。
【図５】第２要素の拡大図である。
【図６】この発明による靴の斜視図である。
【発明を実施するための形態】
【００２２】
図を参照すると、この発明の靴は、全体的に参照番号１０によって示される。
【００２３】
靴１０は換気性を有し、靴底１１と、それに結合する甲革アセンブリ１２とを備え、甲革アセンブリ１２は、内部裏地１４を有する外側甲革１３と、通気性中底１５とを順に備え、通気性中底１５の周辺部は、内部裏地１４と外側甲革１３とに、好ましくは縫合によって接合される。
【００２４】
内部裏地１４は、少なくとも一部が第１要素１６ａによって構成され、第１要素１６ａは、使用者の足を外側甲革１３から分離する間隔１７ａを形成すると共に、使用者の足から靴１０の外側エッジ２０の方へ逃げる汗のための優先通路（後に詳述する）を備える。
【００２５】
第１要素１６ａは第１織物によって構成されるが、第１織物は３次元的であると好都合である。
【００２６】
「立体的織物(three-dimensional fabric)」という表現は、その構成繊維が相互に直行する平面関係に配列された一重の織物を一般的に参照して理解される。３次元タイプの織物を織ることにおいて製造工程の観点から、繊維ＸとＹの組み合わせが、軸繊維Ｚの行と列と共に織られる。「繊維ＸとＹの組み合わせ」という表現は、水平と垂直の横糸の組み合わせを、それぞれ参照して理解される。「繊維Ｚ」という表現は、多層の縦糸の組み合わせを参照して理解される。２次元タイプの織物を織る工程によっても、立体的織物を得ることは可能である。
【００２７】
立体的織物は通常、繊維間の距離を変化させた多重層によって形成され、優れた運動エネルギー吸収性と、弾性と、形状復元特性とを有する。さらに、立体的織物は、その構造内部に縦横両方向に空気を良好に流すことができる。
【００２８】
図１は靴１０の中底１５と、内部裏地１４の外側甲革１３との重なり合いとを、明確に示している。図示された実施例は、所謂ストローベルタイプの工程によって与えられる靴の断面図を参照しているが、同様に描かれる靴の構造は、管状工程、「ＡＧＯラスチング」として知られる工程、又は低部中央ステッチシームを有する工程のような他の工程によっても与えられる。
【００２９】
図３は、靴１０の内部を見せるために舌皮１８が外側へ引き出された、上面図における靴１０を示している。この図において、内部裏地１４のどの部分が第１要素によって、従って第１織物によって構成されているかを指摘することができる。これらの部分は、舌皮１８の終わりの部位と、靴１０の上部外側エッジ２０を覆わないし、この場合においても後部領域１９を覆わない。
【００３０】
外側エッジ２０の領域は、蒸気透過性の、このましくは穿孔された材料で作られ、外側エッジ２０の実質的に同じ領域の部分である舌皮１８の終わりの部位も同様である。
【００３１】
この図及び前の図にはっきりと見られるように、第１要素１６ａは、上記領域を除いた、従って靴１０の先端を含む外側甲革１３、及び上記のようにその終わりの部位を除いた舌皮１８を覆う。
【００３２】
その代わりに、中底１５は、第２要素１６ｂによって構成され、かつ、それと足との間に介在する蒸気透過性中底で都合よく覆われる。第２要素１６ｂは第２織物によって構成される。
【００３３】
第２織物もまた、立体的織物で構成され、使用者の足を靴底１１から隔てる間隔１７ｂを都合よく形成する。
【００３４】
内部裏地１４に対する中底１５の周囲の結合は、第１要素１６ａの間隔１７ａと、第２要素１６ｂの間隔１７ｂとの間の通気性を阻止してはならず、その両者間の自由な接続を実質的に保証するが、それは、この説明の他の部分でさらに明らかになるであろう。
【００３５】
靴底１１は、実質的に防水性と蒸気透過性を有し、重合体材料で作られ一連の貫通孔２２を有する構造層２１を備え、貫通孔２２の上部領域に防水性と蒸気透過性の機能要素２３が結合し、中底１５はその上に重ねられる。
【００３６】
機能要素２３は、好ましくは、階層化され、かつ、密着したモノリシックのシート状構造を有するが、それは、例えば、液状の水に非透過性で水蒸気に透過性の重合体材料で作られ、本願と同じ出願人による欧州特許第EP09425334号に開示されたタイプの構造である。
【００３７】
従って、２つの立体的織物が、都合よく、適用領域の機能として靴１０に使用される。
【００３８】
図４は第１織物の拡大図であり、図５は第２織物の拡大図である。
【００３９】
両織物は、単一体を形成するように相互に接合された３つの層を備える。
【００４０】
特に、第１織物は、既に述べた優先通路を有し、その優先通路は蒸気状の汗の通路ために一連の溝２４によって形成され、一連の溝２４は一連の平行な隆起部２５によって生み出される。
【００４１】
図１と図２に明確に見られるように、溝２４は、靴１０の上部外側エッジ２０の方向に都合よく配列され、蒸気状の汗の下から上への上昇を助長するようになっている。実際、発汗によって生じる湿った暖かい空気は、それ自体の熱によって自然に膨張し、常に下から上へ移動する傾向がある。
【００４２】
第１要素１６ａつまり第１織物によって構成された内部裏地１４の部分は、第１織物の複数の部分を接合することによって与えられ、溝２４は常に靴１０の外側エッジ２０の方向に向けられるという事実をどのような場合でも達成するけれども、溝２４は、皺が寄る靴の部分に依存する異なる方向に、かつ、靴のタイプ（ローカット、足首ブーツ、ブーツ等）の機能として配列される。
【００４３】
特に、第１織物は、
--内部にあって使用者の足の方に向けられ、かつ、通気性を有して液状および蒸気状の汗を前記靴１０の使用者の足から離して導くように構成された第１層２６ａと、
-中間にあって間隔を有し、間隔１７ａを形成し、液状および蒸気状の汗を前記第１層２６から前記外側甲革１３へ運ぶための前記隆起部２５を備え、前記隆起部２５が蒸気状の汗を前記外側エッジ２０の方へ運ぶ前記溝２４変化する第２層２７ａと、
-外側にあって通気性を有し、前記第２層２７ａを前記第１層２６ａと共に、サンドイッチのような方法で囲み、それ自体を前記第１層２６ａと前記外側甲革１３との間に介在させる第３層２８ａと
を備える。
【００４４】
第１内部層２６ａは織物の細片２９で構成され、各細片は対応する隆起部に作用するように配列される。第１層２６ａ、つまり、それを構成する細片２９は、第２層２７ａと同じく、ポリエステル繊維またはポリプロピレン繊維、場合によっては他の同等の繊維から作られることが好ましい。
【００４５】
特に、第１層２６ａは網で作られ、第２層２７ａは、隆起部２５を形成する第１層２６ａ特に細片２９と、第１層２６ａに実質的に同等である第３層２８ａとで織り合わされたにモノフィラメントによって構成される
【００４６】
第２層２７ａの隆起部２５は、第１層２６ａの対応する細片２９に接合され、２ｍｍ以上、好ましくは、３と４ｍｍの間の厚さを有する。
【００４７】
第１層２６ａの織物の細片２９は、２ｍｍより狭くなく、６ｍｍより広くなく、約３ｍｍの幅を有することが好ましい。
【００４８】
同時に、溝２４は、２つの連続する細片２９の間に２から８ｍｍの平均幅、約３ｍｍの好ましい平均幅を有する。
【００４９】
第１層２６ａは、都合のよいことに、毛羽立たせて、ビロードのような外観を有する表面を備えることができる。毛羽立たせる処理は、織物の糸の繊維を、実質的には織物の表面の毛羽を立てることと、表面にビロード状の外観を与えるためにそれを柔らかいフラシ天にすることを含む。この特徴によって、より大量の空気が織物の中に保持され、その熱絶縁特性が向上し、接触に対して心地よくする柔らかさがそれに与えられる。
【００５０】
毛羽立たせることは、第３層２８ａにおいても実行可能であり、さらに、熱絶縁特性を向上させるが、それは、毛羽立てられた表面が第１層２６ａの表面よりも大きい拡張部分を有するからである。
【００５１】
特に、編むことによって与えられる３次元的織物の場合には、それ自体は知られているが、第１層２６ａの縫い糸と裏糸を構成する繊維の番手を選ぶことが可能であり、毛羽立たせる処理においては、縫い糸のみ又は裏糸のみが毛羽立てられ、その番手に基づいて異なる特性及び／又は構造を有するビロード状表面が得られ、その特性及び／又は構造は、物理的（例えば、熱絶縁特性）であり、又は美学的（色彩又は装飾の選択）であり、又はそれらの組み合わせである。
【００５２】
１つの可能な第１織物の変形は、図示しないが、第１連続層と、汗を搬送するために溝で間隔を形成する第２中間空間層と、第３層とによって構成され、第３層は、第２層によって形成された溝を囲む第１要素の２つの壁を第１層と共に形成する。
【００５３】
第２織物は、図示されたケースのように、蒸気状の汗を、換気性のある靴底１１の方へ、横方向へ、第１織物の方へ除去する必要性から、溝無しであることが好ましい。
【００５４】
第２織物は、
-液状および蒸気状の汗を前記靴１０の使用者の足から逃げるように導くように構成された第１上部通気性層２６ｂと、
-汗を前記第１上部通気性層２６ｂから前記靴底１１の方へ及び前記第１要素１６ａの間隔１７ａの方へ運ぶための前記間隔１７ｂを形成する第２中間間隔層２７ｂと、
-前記第２中間間隔層２７ｂを前記第１上部通気性層２６ｂと共に、サンドイッチのような方法で囲み、それ自体を前記第１上部通気性層２６ｂと前記靴底１１との間に介在させる第３外部通気性層２８と
を備える。
【００５５】
これらの層は、第１織物の層と実質的に同じ方法で与えられ、同じ材料で作られる。
【００５６】
両織物に対して、第１層２６ａと２６ｂおよび第２層２７ａと２７ｂは、暖かく湿った空気と蒸気状の汗を、繊維によって捕らえられたままや吸収されたままにすることなく、間隔１７ａと１７ｂ内にそれぞれ循環させるために都合よく疎水性で，通気性を有することができる。
【００５７】
さらに、また、両織物に対して、第３層２８ａと２８ｂは、第１層２６ａと２６ｂと同じタイプの、従って、疎水性で通気性のものであることが可能であるか、又は、都合よく通気性で実質的に親水性のタイプのものであることが可能であり、綿、リネン、セルローズ、プラスチック材料、又は他の均等な繊維の中から選択された少なるとも１つの材料の繊維を含み、親水性の特性を有し、最も深い層から到着する暖かく湿った空気と液状の汗を、より迅速に分散させ、それぞれ外側甲革１３の方と靴１１の機能要素２３の方へ蒸発させるために都合よく変形される。
【００５８】
蒸気状の汗の消散については、間隔１７ａおよび溝２４が、汗を下から上へ連続的に移動させ、汗は第２層２７ａの繊維と、溝２４に沿ったほとんどすべてのものとの間をのぼり、靴１０の上部外側エッジ２０の方向に都合よく方向付けされる。
【００５９】
実際、溝２４は、蒸気状の汗がその上昇において障害に遭遇しない優先通路を備える。
【００６０】
従って、第１織物の使用は、暖かい空気を搬送するために内部裏地１４中が好ましく、一方、第２織物は、その弾性のために中底１５の中が好ましい。
【００６１】
予想されるように、上部外側エッジ２０の領域は、通気性を有し、好ましくは穿孔された材料で作られる。このように、空気の換気によって運ばれる汗は、溝２４から容易に出ることができる。
【００６２】
蒸気状の汗は第１層２６ａを通過し、間隔１７ａと溝２４によってその上昇運動が促進される。
【００６３】
内部裏地１４に存在する液状の汗は、足から直接、または蒸気状の汗の凝縮から生じるが、それは、足と第１層２６ａとの間の温度と圧力に関して、足の外の状態がそのような状況変化を引き起こすような場合には、第１織物の中で生じることができる。
【００６４】
液状の汗は第１層２６ａを貫通するが、それはその層の疎水性の特性によって促進され、外部の、都合よく親水性の第３層２８ａに到達するまで、第２層２７ａ、特に隆起部２５を連続して貫通する。
【００６５】
外側甲革１３が通気性を有するか又は、第１層２６ａから距離が残され使用者の足に接触しない位置にある場合には、液状の汗が、第３層２８ａから外側甲革１３を介して、蒸発することができる。
【００６６】
足底で、液状および蒸気状に形成された汗は、再び足から離される。
【００６７】
蒸気状の汗は第１層２６ｂを貫通し、間隔１７ｂによって靴底１１の方への、および第１織物の間隔１７ａの方への動きが促進される。
【００６８】
実際、靴の換気性は主に、汗と内部の水分が間隔に出入りして、足の周りに配列された第１織物の優先通路を介して循環でき、それは外側エッジの方へ上昇する暖かい空気によって生ずる煙突効果と、足の重さによって生ずる「ポンプ効果」との両方によるものであり、歩行中にその足の重さが中底１５の間隔１７ｂを実質的に圧縮し、上部の外側エッジ２０から出ていくように内部裏地１４の間隔１７ａの中の汗と水分を推進する、という事実に基づく。
【００６９】
実質的に、足の進む位相に実際に一致する第１換気工程において、中底１５の第２要素１６ｂの間隔１７ｂは、使用者の体重によって圧縮され、内部裏地１４の第１要素１６ａの間隔１７ａの方向に間隔１７ｂに含まれる空気の運動効果を作り出し、靴１０の上部外側エッジ２０を介してその空気を移動させて排除する。
【００７０】
この第１換気工程は、図１と図６に示され、蒸気状の汗の動きが、参照番号３０を付した矢によって示されている。
【００７１】
逆に、換気の第２工程においては、靴１０が地面を離れるときに間隔１７ｂがその初期形状を取り戻すが、それは、第２要素１６ｂを構成し、かつ、外側エッジ２０と第１要素１６ａの間隔１７ａとを介して外部からの空気の動きを作り出す第２織物の弾力性と形状復元性に因るものである。
【００７２】
この第２工程における空気の動きは、図２において、第２ライン３１によって示される。
【００７３】
これらの効果は、歩行中の靴の外部の空気の動きによって靴の内外間で生ずる圧力差によって、さらに促進される。従って、その圧力差によって、空気は靴の中を、さらに容易に循環することができる。
【００７４】
説明したように、足の汗は、たとえ外側甲革１３の材料が通気性を有しなくとも排出可能である。
【００７５】
足底において、液状の汗は、好ましくは疎水性で液体が通過するように予めセットされた第１層２６ｂを通過し，次に第２層２７ｂを通過する。間隔１７ｂと、好ましくは親水性の第３層２８ｂとにおいて、汗は蒸気の状態へ進み、靴底１１の防水性と蒸気透過性の機能要素２３を介して消散する。
【００７６】
従って、各織物によって構成される第１要素１６ａと第２要素１６ｂを使用することによって、使用者の足から靴の外へ、液状及び／又は蒸気状の汗を搬送することを保証可能な換気性のある靴１０が提供される。
【００７７】
従って、生成された汗は第１内部層によって保有されず、第１内部層は乾燥したままで、足全体の周りの使用者に対する快適状態を改善する。
【００７８】
靴は、生理学的にさらに快適なものとなり、使用者の足の自然温度調整を可能にする。
【００７９】
特に、とりわけ厳しい気候が特徴の地方においては、毛羽立てされた第１および  または第３層を有する第１織物を使用して、換気の促進に加えて熱絶縁を改良することが好ましい。
【００８０】
特に、この発明は、液状および蒸気状の汗を、公知のタイプの通気性のある靴よりも更に良く消失させることが可能な靴によって、意図する狙いと目的を達成するということが見出された。
【００８１】
この靴は、たとえ甲革の外側材料が通気性を有しなくても、靴の上部外側エッジの方へ靴を介して蒸気状の汗を消失することによる、靴の内側の微小気候と、外側の微小気候との間の熱と水蒸気との交換に因って、使用者の足の周りの換気を保証することができる。
【００８２】
従って、考案された本発明は、多数の変形や変更を受け入れ可能であり、それらの全ては添付の特許請求の範囲の範囲内であり、全ての詳細は他の技術的均等要素によってさらに置換可能である。
【００８３】
特に、使用される材料は、それらが特定の用途や偶然の形状寸法によって互換性がある限り、技術の要求と状態によるものであってもよい。
【００８４】
イタリア国特許出願番号第PD2014A000148号は、この出願の優先権主張の基礎となるが、その開示内容は引用によってここに組み込まれる。
【００８５】
特許請求の範囲に記載される技術的特徴が参照符号を伴う場合、それらの参照符号は特許請求の範囲の分かり易さを増すという唯一の目的のために付記されたものである。従って、そのような参照符号は、実施例においてそのような参照符号により特定される各要素の説明上の限定効果を全く有するものではない。
【図１】
2017518121.tif 000003
【図２】
2017518121.tif 000004
【図３】
2017518121.tif 000005
【図４】
2017518121.tif 000006
【図５】
2017518121.tif 000007
【図６】
2017518121.tif 000008
【国際調査報告】
2017518121.tif 000009
2017518121.tif 000010
2017518121.tif 000011